(57)【要約】【課題】  高負荷容量を確保しつつ、総ころ軸受のころ同士のかじり不具合、ピンタイプ保持器品のころ圧砕不具合、コスト大を解決する。【解決手段】  外周に軌道を有する内輪２と、内周に軌道を有する外輪４と、内輪２の軌道と外輪４の軌道との間に転動自在に介在する複数の円筒ころ６と、隣り合った円筒ころ６間に位置し円筒ころ６の長さを越える間座８と、間座８の軸方向両端側に位置する一対の環状の側板１０とで円筒ころ軸受を構成する。【選択図】  図１
2005344854.tif 000002
【特許請求の範囲】
【請求項１】
外周に軌道を有する内輪と、内周に軌道を有する外輪と、内輪の軌道と外輪の軌道との間に転動自在に介在する複数の円筒ころと、隣り合った円筒ころ間に位置する間座と、間座の軸方向両端を支持する一対の環状の側板とを具備したことを特徴とする円筒ころ軸受。
【請求項２】
前記間座が円筒ころのピッチ円の内径側から外径側まで延在している請求項１の円筒ころ軸受。
【請求項３】
前記間座の側面の断面形状が円筒ころの転動面の曲率半径よりも僅かに大きい曲率半径の円弧である請求項１または２の円筒ころ軸受。
【請求項４】
前記側板を外輪に固定した請求項１ないし３のいずれかの円筒ころ軸受。
【請求項５】
前記側板を内輪に固定した請求項１ないし３のいずれかの円筒ころ軸受。
【請求項６】
前記側板が軸方向に貫通した油穴を有する請求項１ないし５のいずれかの円筒ころ軸受。
【請求項７】
前記間座の側面に保持器の半径方向に延びる油溝を設けた請求項１ないし６のいずれかの円筒ころ軸受。
【請求項８】
ピッチ円径上の円筒ころ間すきまが、ころ径をＤWとしたとき、０．０５×ＤW〜０．１０×ＤWの範囲内である請求項１ないし７のいずれかの円筒ころ軸受。
【発明の詳細な説明】
【技術分野】
【０００１】
この発明は円筒ころ軸受に関する。
【背景技術】
【０００２】
円筒ころ軸受は、転動体として円筒ころを用いたラジアル軸受である。ラジアル負荷能力が大きく、高速回転にも適している。円筒ころ軸受には保持器を用いて複数の円筒ころを円周方向で所定間隔に保つようにしたタイプと、保持器を用いない総ころタイプ（特許文献１参照）とがある。保持器にはもみ抜き保持器（特許文献２参照）、ピンタイプ保持器（特許文献３参照）、スタッドタイプ保持器（特許文献４参照）、ディスク保持器（特許文献５参照）などがある。
【特許文献１】特開平１０−１８４６９３号公報（段落番号０００２、図３）
【特許文献２】特開平１１−２９４４６０号公報（段落番号０００３、図１）
【特許文献３】特開昭５３−０００３５８号公報（第１頁右下欄第３〜８行、第１図）
【特許文献４】実開平０７−０２０４２３号公報（図１〜５）
【特許文献５】特開２００２−９８１５４号公報（図１、２）
【発明の開示】
【発明が解決しようとする課題】
【０００３】
総ころ軸受は、保持器を用いないでより多くのころを組み込めるようにしたものであるため負荷容量が大きく安価である反面、ころ同士が逆回転ですべり接触するためかじりやすく、極低速回転（ｄｎ値２０万以下）でしか使えない。
【０００４】
もみ抜き保持器は安価である反面、強度・剛性確保のために保持器は太い柱を必要とし、結果として負荷容量が小さい。軸受内空間容積のうち３０％程度が保持器容積となる。
ピンタイプ保持器は負荷容量が大きい反面、中空ころを使用するのでころ強度が低下し、また、組立に溶接を用いるため高価である。
【０００５】
スタッドタイプ保持器は中実ころでありながらピンタイプ保持器同等の負荷容量を有する反面、複数の溶接箇所を有し、構造も複雑であるため高価である。
【０００６】
ディスク保持器は、中実ころを使用し保持器構造も単純である反面、内輪または外輪を２部材から構成する必要があり、加工コスト、組立工数共に大である。また、内輪または外輪の一部に全周にわたって溝を有するため負荷容量がやや劣る。
【課題を解決するための手段】
【０００７】
この発明の円筒ころ軸受は、外周に軌道を有する内輪２と、内周に軌道を有する外輪４と、内輪２の軌道と外輪４の軌道との間に転動自在に介在する複数の円筒ころ６と、隣り合った円筒ころ６間に位置する間座８と、間座８の軸方向両端を支持する一対の環状の側板１０とを具備している。すなわち、より多くの円筒ころ６を軸受に組み込むために、従来の保持器に代えて間座８を採用し、円筒ころ６間に間座８を挿入して、一対の側板１０により間座８の両端を支持して案内するようにしたもので、これにより、中実の円筒ころ６を使用した高負荷容量型円筒ころ軸受を提供するものである。総ころ軸受と異なり円筒ころ６同士が接触しないため、かじりのおそれはない。しかも、従来の保持器の柱に相当する間座８と従来の保持器のリング部に相当する側板１０とが分離しているため、間座８の破断の可能性が極めて低い。間座８は円筒ころ６だけで挟むこともできるが、内輪２または外輪４または側板１０によって案内させることで、より挙動が安定する。さらに、間座８は溶接を必要とせず、形状が単純であるため、組立が容易で安価である。なお、側板１０は内輪２または外輪４のいずれかに固定する。固定方法はボルト止めまたは圧入とすることができる。
【発明の効果】
【０００８】
この発明によれば、高負荷容量を確保しつつ、総ころ軸受におけるころ同士のかじり、ピンタイプ保持器品におけるころ圧砕、コスト大といった問題点が解消した円筒ころ軸受を提供することができる。
【発明を実施するための最良の形態】
【０００９】
以下、図面に従って本発明の実施の形態を説明する。
【００１０】
図１（Ａ）に示すように、円筒ころ軸受は、内輪２と外輪４と円筒ころ６と間座８と側板１０とを主要な構成要素として成り立っている。内輪２は外周に軌道を有し、外輪４は内周に軌道を有する。内輪２の軌道と外輪４の軌道との間に複数の円筒ころ６が転動自在に介在させてある。間座８は、円筒ころ６の長さを越えて軸方向に延在している。側板１０は環状で、ここでは外輪４の両側にボルト１２で固定してある。側板１０の内側面には環状の凹部１４が設けてある。そして、間座８の軸方向両端部を側板１０の凹部１４にて受け入れることにより、間座８を側板１０で支持・案内する。側板１０を介して間座８を外輪４によって案内させることにより、間座８の挙動が安定する。かじり防止のため、間座８と側板１０の材質は異材とするのが望ましい。たとえば、間座８の材質を黄銅または樹脂とし、側板１０の材質を鉄または黄銅とする。
【００１１】
ここでは側板１０を外輪４に固定してあるが、内輪２に固定してもよい。また、固定方法もボルト止めに代えて圧入を採用してもよい。さらに、場合によってはハウジング側の幅押さえに頼ることもできる。また、図示するように別体の側板１０を採用するほか、軌道輪（２または４）のつば輪の形状を工夫して側板１０の機能を兼備させることにより別体の側板１０を廃止してもよい。
【００１２】
図１（Ｂ）に示すように、間座８は隣り合った円筒ころ６の間に介在し、同図に一点鎖線で示したピッチ円を挟んで保持器の半径方向に、言い換えればピッチ円の内径側から外径側まで、延在している。したがって、ピッチ円上における円筒ころ６間すきまによって間座８の最小肉厚が決まる。たとえば、ピッチ円上の円筒ころ６間すきまは、ころ径をＤWとしたとき、０．０５×ＤW〜０．１０×ＤWの範囲内である。図１（Ｂ）に示す実施の形態では、間座８の側面の断面形状が円筒ころ６の転動面の曲率半径よりも僅かに大きい曲率半径の円弧である。間座８は円筒ころ６のピッチ円を挟んで軸受の半径方向に延在している。この場合、間座８が円筒ころ６のピッチ円を越えて円筒ころ６を抱くため、内輪２または外輪４を抜いても円筒ころ６は分離しない。したがって、分解・組立や保管等の取り扱いが容易である。
【００１３】
図２は、側板１０を外輪４に圧入により固定した実施の形態を示す。また、この実施の形態では、側板１０が軸方向に貫通した油穴１６を有し、間座８の側面にも軸受の半径方向に延びる油溝１８が設けてある。いずれも、円筒ころ６の周囲にある潤滑油が外部に流出しやすくして潤滑油による攪拌抵抗を軽減させる役割を果たす。
【００１４】
次に、ＮＪ３０４４（φ２２０×φ３４０×９０）に本発明を適用した実施例と比較例とについて、ころ本数および軸受寿命比を比較した結果を表１に示す。
【００１５】
【表１】
2005344854.tif 000003
【００１６】
上記型番の場合、ＰＣＤ上のころ間すきま＝０．１０×ころ径となり、表１から分かるように、実施例の円筒ころ軸受はピンタイプ保持器を用いた円筒ころ軸受と同一本数の円筒ころを組み込むことが可能で、寿命比は総ころタイプよりは劣るものの、ピンタイプ保持器の場合と同じで、もみ抜き保持器の場合より２５％向上した。
【００１７】
なお、本発明は、上述の実施の形態に限定されるものではなく、本発明の要旨を逸脱しない範囲内において種々変更を加え得ることは勿論である。
【図面の簡単な説明】
【００１８】
【図１】(Ａ)は本発明の実施の形態を示す円筒ころ軸受の断面図、（Ｂ）は図１（Ａ）における右側の側板を取り除いた状態の側面図である。
【図２】（Ａ）は別の実施の形態を示す円筒ころ軸受の断面図、（Ｂ）は一部を破断した側面図である。
【符号の説明】
【００１９】
２  内輪
４  外輪
６  円筒ころ
８  保持器
１０  側板
１２  ボルト
１４  凹部
１６  油穴
１８  油溝
【図１】
2005344854.tif 000004
【図２】
2005344854.tif 000005
【手続補正書】
【提出日】平成17年7月5日(2005.7.5)
【手続補正１】
【補正対象書類名】特許請求の範囲
【補正対象項目名】全文
【補正方法】変更
【補正の内容】
【特許請求の範囲】
【請求項１】
外周に軌道を有する内輪と、内周に軌道を有する外輪と、内輪の軌道と外輪の軌道との間に転動自在に介在する複数の円筒ころと、隣り合った円筒ころ間に位置する間座と、間座の軸方向両端を支持する一対の環状の側板とを具備したことを特徴とする円筒ころ軸受。
【請求項２】
前記間座が円筒ころのピッチ円の内径側から外径側まで延在している請求項１の円筒ころ軸受。
【請求項３】
前記間座の側面の断面形状が円筒ころの転動面の曲率半径よりも大きい曲率半径の円弧である請求項１または２の円筒ころ軸受。
【請求項４】
前記側板を外輪に固定した請求項１ないし３のいずれかの円筒ころ軸受。
【請求項５】
前記側板を内輪に固定した請求項１ないし３のいずれかの円筒ころ軸受。
【請求項６】
前記側板が軸方向に貫通した油穴を有する請求項１ないし５のいずれかの円筒ころ軸受。
【請求項７】
前記間座の側面に保持器の半径方向に延びる油溝を設けた請求項１ないし６のいずれかの円筒ころ軸受。
【請求項８】
ピッチ円上の円周方向すきまが、ころ径をＤｗとしたとき、０．０５×Ｄｗ〜０．１０×Ｄｗの範囲内である請求項１ないし７のいずれかの円筒ころ軸受。
【手続補正２】
【補正対象書類名】明細書
【補正対象項目名】００１２
【補正方法】変更
【補正の内容】
【００１２】
図１（Ｂ）に示すように、間座８は隣り合った円筒ころ６の間に介在し、同図に一点鎖線で示したピッチ円を挟んで保持器の半径方向に、言い換えればピッチ円の内径側から外径側まで、延在している。したがって、ピッチ円上における円周方向すきまによって間座８の最小肉厚が決まる。たとえば、ピッチ円上の円周方向すきまは、ころ径をＤｗとしたとき、０．０５×Ｄｗ〜０．１０×Ｄｗの範囲内である。図１（Ｂ）に示す実施の形態では、間座８の側面の断面形状が円筒ころ６の転動面の曲率半径よりも僅かに大きい曲率半径の円弧である。間座８は円筒ころ６のピッチ円を挟んで軸受の半径方向に延在している。この場合、間座８が円筒ころ６のピッチ円を越えて円筒ころ６を抱くため、内輪２または外輪４を抜いても円筒ころ６は分離しない。したがって、分解・組立や保管等の取り扱いが容易である。ここで、ピッチ円上の円周方向すきまとは、隣り合うころと間座を接するように寄せたときに円周方向にできるすきまであり、図３の寸法Ｓを指す。
【手続補正３】
【補正対象書類名】明細書
【補正対象項目名】００１６
【補正方法】変更
【補正の内容】
【００１６】
上記型番の場合、ピッチ円上の円周方向すきま＝０．１０×ころ径となり、表１から分かるように、実施例の円筒ころ軸受はピンタイプ保持器を用いた円筒ころ軸受と同一本数の円筒ころを組み込むことが可能で、寿命比は総ころタイプよりは劣るものの、ピンタイプ保持器の場合と同じで、もみ抜き保持器の場合より２５％向上した。
【手続補正４】
【補正対象書類名】明細書
【補正対象項目名】００１８
【補正方法】変更
【補正の内容】
【００１８】
【図１】（Ａ）は本発明の実施の形態を示す円筒ころ軸受の断面図、（Ｂ）は図１（Ａ）における右側の側板を取り除いた状態の側面図である。
【図２】（Ａ）は別の実施の形態を示す円筒ころ軸受の断面図、（Ｂ）は一部を破断した側面図である。
【図３】ピッチ円上の円周方向すきまの説明図である。
【手続補正５】
【補正対象書類名】図面
【補正対象項目名】図３
【補正方法】追加
【補正の内容】
【図３】
2005344854.tif 000006